(57)【特許請求の範囲】
【請求項１】
ハウジングと、
ハウジングの前方のガードと、
ハウジングの後方のキャップと、
ガードとキャップとの間でハウジングに支持され、それぞれ切断縁を有する複数の平行な刃と、
を備え、
前記ガードは、前記切断縁に全体的に平行に配置されると共に、前記刃から離れたフィンから前記刃に近いフィンまで前記切断縁を貫通する平面に対して全体的に増大する高さを有する細長の弾性フィンの少なくとも５列を含んでおり、
前記フィンの幾つかは、前記平面の上方に先端を有しており、
前記フィンの幾つかは、前記平面の下方に先端を有しており、
前記フィンは、１４度よりも小さい先端角度を有している
ことを特徴とする髭剃りカミソリの刃ユニット。
【請求項２】
前記先端は、０．４ｍｍと０．８ｍｍとの間の高さを有している
ことを特徴とする請求項１に記載の刃ユニット。
【請求項３】
前記先端は、０．６ｍｍと０．７ｍｍとの間の高さを有している
ことを特徴とする請求項１に記載の刃ユニット。
【請求項４】
前記フィンは、約１２度の先端角度を有している
ことを特徴とする請求項１に記載の刃ユニット。
【請求項５】
前記刃は、前記ハウジングに対して可動に取り付けられている
ことを特徴とする請求項１に記載の刃ユニット。
【請求項６】
前記刃ユニットは、前記刃がハンドルに対して回動することを許容する回動構造に接続されている
ことを特徴とする請求項１に記載の刃ユニット。
【請求項７】
少なくとも８列の細長い弾性フィンが存在する
ことを特徴とする請求項１に記載の刃ユニット。
【請求項８】
少なくとも６列の細長い弾性フィンが存在する
ことを特徴とする請求項１に記載の刃ユニット。
【請求項９】
少なくとも１０列のフィンが存在する
ことを特徴とする請求項１に記載の刃ユニット。
【請求項１０】
前記フィンは、３０と６０との間のショアＡ硬度を有する材料で作られている
ことを特徴とする請求項１に記載の刃ユニット。
【請求項１１】
ハンドルと、前記ハンドルに接続された請求項１の刃ユニットと、を備えた髭剃りカミソリ。
【発明の詳細な説明】
【発明の詳細な説明】
【０００１】
本発明は、そのための改良されたガードを有する髭剃りカミソリ及び刃ユニットに関する。
【０００２】
髭剃りカミソリは、しばしば、ハンドルと、交換可能なカートリッジと、からなり、交換可能なカートリッジ内では、１以上の刃がプラスチックハウジング内に取り付けられている。米国特許第５９１８３６９号は、ハンドルに順に接続される相互接続部材に回動可能に接続される刃ユニットを有する交換可能なカートリッジを含む髭剃りカミソリを開示している。当該刃ユニットは、肌面と係合する刃の前方に弾力フィンを有すると共に刃の後方に潤滑ストリップを有するガードを含んでいる。
【０００３】
一つの特徴において、本発明は、全体に、複数の刃と、当該刃の切断縁に全体に平行に配置された細長の弾性フィンの２群の列を含む一つのガードと、を有する髭剃りカミソリ刃ユニットを特徴とする。フィンの第１群は、切断縁を貫通する平面に対して増大する高さを有する先端部を有しており、フィンの第２群は、当該平面に対して全体に均一な位置の先端部を有しており
別の特徴において、本発明は、全体に、複数の刃と、当該刃の切断縁に全体に平行に配置された細長の弾性フィンの少なくとも６列を含む一つのガードと、を有する髭剃りカミソリ刃ユニットを特徴とする。
【０００４】
別の特徴において、本発明は、全体に、複数の刃と、当該刃の切断縁に全体に平行に配置されると共に、当該刃から離れたフィンから当該刃に近いフィンまで当該刃の切断縁を貫通する平面に対して高さにおいて増大する細長の弾性フィンの少なくとも５列を含む一つのガードと、を有する髭剃りカミソリ刃ユニットを特徴とする。
【０００５】
別の特徴において、本発明は、全体に、複数の刃と、切断縁に全体に平行に配置された細長の弾性フィンの複数の列を含む一つのガードと、を有する髭剃りカミソリ刃ユニットを特徴とする。フィンは、ベース部から先端部まで、１４度よりも小さい先端角度（included angle）で、収束している。
【０００６】
本発明の特別な実施の形態が、１以上の以下の特徴を含み得る。２群のフィンを伴う実施の形態において、各群は、好適には少なくとも３つのフィンを含み、最も好適には約５個のフィンを含む。フィンの幾つかは、切断縁を通過する平面の上方に先端を有し、フィンの幾つかは、当該平面の下方に先端を有する。好ましくは、ガード上に少なくとも６列のフィン、より好ましくは約８列のフィン、最も好ましくは約１０列のフィン、が存在する。先端は、好適には、０．４ｍｍと０．８ｍｍとの間の高さを有しており、最も好ましくは、０．６ｍｍと０．７ｍｍとの間である。フィンは、１４度よりも小さい、最も好適には約１２度の、先端角度（included angle）を有している。最初のフィンから最後のフィンまでの距離は、好適には、２．０ｍｍと３．５ｍｍとの間である。刃は、好適には、前記ハウジングに対して可動に取り付けられており、刃ユニットは、刃がハンドルに対して回動することを許容するように、回動構造に接続されている。フィンは、３０と６０との間（好適には４０と５０との間）のショアＡ硬度を有する材料で作られている。
【０００７】
他の特徴において、本発明は、ハンドルと、ハンドルに接続された前述のような刃ユニットと、を含む髭剃りカミソリを特徴とする。
【０００８】
本発明の実施の形態は、以下の利点の１以上を含み得る。フィンは、刃の前方で肌を刺激して広げる傾向があり、毛の切断のための肌の快適さ及び適切な位置決めを改良する結果となる。最初の刃による係合前の最後の肌接触部材として弾力構造を与えるフィンは、肌を広げることを改良するように、及び、快適さを改良するように作用する。フィンの増大する高さ(elevation )は、肌の接触を徐々に増大する結果となり、その先端を髭剃り中の肌の流れに対して順応させる。狭い先端角度のプロフィルは、フィンの柔軟性を改良する。そのことは、肌を広げることを助け、それによって改良された切断のために毛を準備させる。多数のフィンを使用することは、肌との係合を改良する。
【０００９】
本発明の他の利点及び特徴は、その好適な実施の形態の以下の記述から明らかである。
【００１０】
図１は、髭剃りカミソリの斜視図である。
【００１１】
図２は、図１のカミソリの交換可能なカートリッジの斜視図である。
【００１２】
図３は、図２の交換可能なカートリッジの刃ユニットの縦断面図である。
【００１３】
図４は、図３の刃ユニットのガードの縦断面図である。
【００１４】
図１及び図２を参照して、髭剃りカミソリ１０は、ハンドル１２と交換可能な髭剃りカートリッジ１４とを含んでいる。図２に示すように、カートリッジ１４は、ハンドル１２から取り外し可能である。カートリッジ１４は、ハウジング１６を含んでおり、それは３つの可動の刃１８、ガード２０及びキャップ２２を保持している。カートリッジ１４はまた、相互接続部材２４を含んでおり、ハウジング１６は、その上に回動軸回りに回動可能に取り付けられている。相互接続部材２４は、ハンドル１２に接続されるベース２７を含んでいる。ベース２７は、その２つの側部でハウジング１６を回動可能に支持する２つのアーム２８を有している。
【００１５】
図３及び図４を参照して、ガード２０は、弾性部材２１と後方ストッパ２３とを含んでいることが理解される。弾性部材２１は、弾力フィン３４の２群３０、３２を有しており、ショアＡ硬度３０乃至６０（好適には４０乃至５０、最も好適には約４９）を有する材料で作られている。値が当該範囲を上回って増大される時、性能が低下する傾向にある。値が当該範囲を下回って減少される時、製造上の問題が存在し得る。フィンの各群は、好適には、少なくとも３つのフィン、最も好適には約５つのフィンを含んでいる。第１群のフィンの先端３６は、当該先端を通る線が平面４０に対して１９度の角度をなすよう、高さ（elevation ）において増大している。当該平面は、刃１８の切断縁を貫通する。群３０の各先端３６は、その前方の先端よりも０．１ｍｍだけ高い。あるいは、群３０の先端３６は、当該先端を通る線が平面４０に対して１５度と２５度との間の角度をなすように、配置され得る。第２群のフィン３２の先端３８は、平面４０に対して均一な高さを有している。第１群のフィン３０の先端３６は、平面４０の下方にある幾つかの先端と、平面４０の上方にある幾つかの先端と、を含んでいる。第２群のフィン３２の先端３８は、全て平面４０の上方にある。フィン３４は、０．４ｍｍ乃至０．８ｍｍ（より好適には０．６ｍｍと０．７ｍｍとの間、最も好適には約０．６６ｍｍ）の先端−ベース高さ「ｈ」を有し、１４度より小さい、好適には約１２度の先端角度を有している。フィン３４は、中心から中心まで０．２９ｍｍのピッチで配置され、それらのベースで０．１９の厚みである。第１フィン３４の前方から最終フィン３４の後方までのベースにおける距離は、２．９２ｍｍである。あるいは、当該距離は、２．０ｍｍ乃至３．５ｍｍであり得る。後方ストッパ部２３は、平面４０上方の０．０７ｍｍにある。フィン３２の先端３６は、後方ストッパ部２３の上方０．２２ｍｍにある。
【００１６】
使用中、フィン３０及び３２は、刃の前方で肌を刺激して伸ばすことになり、快適さ及び毛の切断のための肌の適切な位置決めを改善する。フィン３０の増大する高さが、徐々に肌接触を増大させる。増大する高さは、また、その先端を髭剃り中の肌の流れに対して順応させる。フィン３２の均一な高さが、一定の肌接触を提供する。狭い１２度のプロフィル（横輪郭）が、フィンの柔軟性を改良する。そのことは、肌を広げることを助け、それによって改良された切断のために毛を準備させる。多数（例えば６より大きい、好適には約１０）のフィンの使用が、肌係合を改善する。
【００１７】
本発明の他の利点は、添付の請求の範囲の範囲内である。
【００１８】
例えば、フィン３４は、最初のフィンから最後のフィンまで、高さにおいて徐々に増大し得る。高さにおける増大は、最初のフィンから最後のフィンまで均一であり得る、あるいは、フィンの先端の集合は、単純に、先端が刃に近づくにつれて高さにおいて増大するという傾向を示し得る。例えば、少なくとも、水平位置に対する先端高さのプロットの平方回帰（squares regression）が、増大する高さの正の勾配を有する線に帰結する。
【図面の簡単な説明】
【００１９】
【図１】髭剃りカミソリの斜視図である。
【図２】図１のカミソリの交換可能なカートリッジの斜視図である。
【図３】図２の交換可能なカートリッジの刃ユニットの縦断面図である。
【図４】図３の刃ユニットのガードの縦断面図である。
【図１】
0005461509.tif 000002
【図２】
0005461509.tif 000003
【図３】
0005461509.tif 000004
【図４】
0005461509.tif 000005